(57)【要約】【課題】  本発明は、このような従来のタオル等の長尺帯体の欠点を解消し、装着が容易で、ズレのない機能を備えた長尺帯状体に形成された切欠孔の縫製方法及び該切欠孔の形成された長尺帯状体を提供することを課題としている。【手段】  本発明の解決手段の長尺帯状体に形成された切欠孔の縫製方法は、請求項１に記載のように切欠孔の形成された布製の長尺帯状体の縫製方法において、前記長尺帯状体の切欠孔の孔サイズに応じて直線状に孔かがり縫いするとともに、切欠孔上下部分に閂止め縫いし、その後孔部分を切断加工すること、又は長尺帯状体の切欠孔を形成する部分に下縫い加工をした後、切欠孔の孔サイズに応じて直線状に孔かがり縫いし、孔部分を切断加工することである。【選択図】図１
2008264449.tif 000002
【特許請求の範囲】
【請求項１】
布製の長尺帯状体に形成された切欠孔の縫製方法において、前記長尺帯状体の切欠孔の孔サイズに応じて直線状に孔かがり縫いするとともに、切欠孔上下部分に閂止め縫いし、その後孔部分を切断加工することを特徴とする長尺帯状体に形成された切欠孔の縫製方法。
【請求項２】
布製の長尺帯状体に形成された切欠孔の縫製方法において、前記長尺帯状体の切欠孔を形成する部分に下縫い加工をした後、切欠孔の孔サイズに応じて直線状に孔かがり縫いし、孔部分を切断加工することを特徴とする長尺帯状体に形成された切欠孔の縫製方法。
【請求項３】
切欠孔の形成された布製の長尺帯状体において、前記長尺帯状体には、孔サイズに応じて縦孔かがり縫製及び上／下部に閂止め縫製した線状の切欠孔が形成されていることを特徴とする長尺帯状体。
【発明の詳細な説明】
【技術分野】
【０００１】  この発明は、例えばスポーツ観戦時に応援グッツとして首、又は体部分に巻きつけて装着するための布製の長尺帯状体、又はトレーニング時に首等に巻きつけて汗を吸収するのに使用する長尺帯状体に形成された切欠孔の縫製方法及び該切欠孔の形成された長尺帯状体に関する。
【背景技術】
【０００２】  例えば、従来から体力強化等でトレーニング時、又は健康維持等でウォーキングを行う際に汗を吸収するのにタオルが一般的に使用されている。このタオルは長尺状に形成されているために、通常使用者の首部分に巻き付けて装着し、タオルが滑り落ちないようにタオルの両端側を捩じって棒状にして輪を作って結んだり、又はタオルの一端側のみ折り輪を作った後、その輪の中に他端側を挿通することで落ちないように装着していた。【０００３】  また、野球やサッカー等のスポーツ観戦時に同一のチームを応援する人達が同一の模様のタオルを使用する場合が多く見られる。このタオルは長尺状に形成され、同一の模様やマークが設けられている。そして、手を叩いて応援する場合は通常首に巻きつけて両端側を捩じって棒状にして輪を作って結んだりして装着している。【０００４】  しかしながら、上記従来のタオルを首部分に装着すると、運動している途中又は応援中にタオルの結び目部分にズレが生じ、タオルが体より離脱して地面に落としてしまう場合が多くあった。また、結び目を作るためにはタオルを通常より長尺状に形成する必要があり、コストの面でも割高となった。【０００５】  上記問題点を解消するために、本願出願人は特願２００３−１０５８７５号の「タオル等の長尺帯体」を発明した。このタオル等の長尺帯体は、長尺方向の一端側近傍に、ホール縫製した少なくとも２以上の縦長孔又は横長孔を形成し、孔の縁部に滑止手段が設けられている。これにより、長尺方向に二つ折りした長尺帯体の他端側を一端側に設けられた縦長孔又は横長孔に挿通するだけで、従来のように結び目を作らずに容易に首部分に長尺帯体を装着することができる構成である。【０００６】  また、長尺帯体を装着時に縦長孔又は横長孔に滑止手段が設けられているために、長尺帯体の他端側が、縦長孔又は横長孔からズレることなく安定して装着することができる利点があった。
【発明の開示】
【発明が解決しようとする課題】
【０００７】  しかしながら、上記開発した長尺帯体は、連続して使用すると長孔部分の上下端部分や縁部分が弱いために孔部分が閉じた状態である長孔の形状を同じ状態で維持することができず、孔が拡がった状態又は上下端の部分の変形が発生しやすく、該長孔部分に挿通した長尺帯体の他端側が容易に離脱し安定した装着ができないという欠点があった。【０００８】  また、タオル地のような延性や展性のある生地においては、ホール縫製のみでは長孔部分を維持することがさらに難しく、横方向や斜め方向に容易に広がり挿通した長尺帯体の他端側の離脱を滑止手段のみでは阻止できないという欠点があった。【０００９】  特に、上記長孔部分が長ければ長いほど、長孔部分の形状維持が難しく安定した装着ができないという欠点があった。【００１０】  また、長孔の縁部に滑止手段が設けられいるものの、長孔部分が横方向に広がると、滑止手段が作用せず無駄になるという欠点があった。【００１１】  従って、本発明は、このような従来のタオル等の長尺帯体の欠点を解消し、装着が容易で、ズレのない機能を備えた長尺帯状体に形成された切欠孔の縫製方法及び該切欠孔の形成された長尺帯状体を提供することを課題としている。
【課題を解決するための手段】
【００１２】  本発明の第１の解決手段としての長尺帯状体に形成された切欠孔の縫製方法は請求項１に記載により、布製の長尺帯状体に形成された切欠孔の縫製方法において、前記長尺帯状体の切欠孔の孔サイズに応じて直線状に孔かがり縫いするとともに、切欠孔上下部分に閂止め縫いしその後孔部分を切断加工することである。【００１３】  本発明の第２の解決手段としての長尺帯状体に形成された切欠孔の縫製方法は請求項２に記載により、布製の長尺帯状体に形成された切欠孔の縫製方法において、前記長尺帯状体の切欠孔を形成する部分に下縫い加工をした後、切欠孔の孔サイズに応じて直線状に孔かがり縫いし、孔部分を切断加工することである。【００１４】  また、本発明の長尺帯状体は、請求項３に記載により、切欠孔の形成された布製の長尺帯状体において、前記長尺帯状体には、孔サイズに応じて縦孔かがり縫製及び上／下部に閂止め縫製した線状の切欠孔が形成されていることである。
【発明の作用・効果】
【００１５】  以上のように、本発明の第１の解決手段の長尺帯状体に形成された切欠孔の縫製方法は、先ず一枚づつ長尺帯状体の一端側に切欠孔を形成する位置を決定し、該切欠孔の孔サイズに応じて直線状に孔かがり縫いをするとともに、切欠孔上下部分に閂止め縫いをし、その後前記孔かがり縫いと閂止め縫いとをした孔部分を孔に沿って長尺に切断加工する。
【００１６】  これにより、長尺帯状体の生地に係わらず、また連続使用に係わらず上下左右方向に拡がったり延びたりしない、最適な切欠孔を長尺帯状体に形成することができる。
【００１７】  また、本発明の第２の解決手段の長尺帯状体に形成された切欠孔の縫製方法は先ず一枚づつ長尺帯状体一端側の切欠孔を形成する部分全体に下縫い加工をし、その後下縫い加工部分に直線状の切欠孔の孔サイズである長短尺に応じて直線状に二重縫いし、該二重縫いした孔部分を孔に沿って直線状に切断加工する。
【００１８】  これにより、上記第１の解決手段と同様に長尺帯状体の生地に係わらず上下左右方向に拡がったり延びたりしない、最適な切欠孔を形成することができる。
【００１９】  上記各手段による切欠孔の形成は、長尺帯状体の横幅が首に装着するのに際して狭い場合は、長尺帯状体の一端側の中央部分に切欠孔を形成し、また、長尺帯状体の横幅が首に装着するのに際して広い場合は、長尺帯状体の一端側の中央部分より両側の同じ位置に平行した少なくとも２以上の切欠孔を形成する。
【００２０】  上記本発明の長尺帯状体は、長尺方向の他端側を一端側に形成された切欠孔に挿通（中央部分に切欠孔が形成されている場合は直接挿通、両側の同じ位置に切欠孔が形成されている場合は、長尺方向に二つ折りして重なる２つの切欠孔に連続して挿通）して円弧をつくり首部分等に巻き付けることで使用する。
【００２１】  巻き付けた長尺帯状体は、上記のようにその装着方法が、従来のタオルに比し容易である他、切欠孔部分が堅固に保持されているために切欠孔部分が連続して使用しても変形することがなく、装着後にズレたり、離脱したりすることなく使用することができる。
【００２２】  このように、本発明の長尺帯状体に形成された切欠孔は、その縫製方法が容易であり、コストの面においても低減することができ、また、装着時に安定感を与え、あらゆるトレーニング時、スポーツ観戦時に最適に使用することができる。
【００２３】  また、長尺帯状体に形成された切欠孔部分が堅固に保持されているために、野球やサッカー等のスポーツ観戦時に同一のチームを応援する人達が応援グッツとして使用する同一の模様のタオルにおいては、切欠孔部分まで模様を設けても、その模様が変形することなく、スマートな使用が可能となる。
【００２４】  また、長尺帯状体の形状を種々変更することで各種目的に応じて成形加工することができ、その使用範囲、使用目的を格段に広げることが可能となり、又連続した使用に対応することが可能となる。
【発明を実施するための最良の形態】
【００２５】  本発明の一実施例である長尺帯状体に形成された切欠孔の縫製方法及び該切欠孔の形成された長尺帯状体とを図面に沿って詳細に説明する。【００２６】  図１（イ），（ロ）は本発明の長尺帯状体に形成された切欠孔の縫製方法の一実施例を示す概略説明図であり、図２は長尺帯状体を示す平面図であり、図３は長尺帯状体に形成された長線状の切欠孔を示す拡大平面図であり、図４は長尺帯状体に形成された長線状の切欠孔の他実施例を示す拡大平面図であり、図５は長尺帯状体に形成された長線状の切欠孔の他実施例を示す拡大平面図であり、図６は長尺帯状体に形成された長線状の切欠孔の他実施例を示す拡大平面図であり、図７は長尺帯状体の他実施例を示す概略平面図である。【００２７】  本発明の長尺帯状体１は、タオル等に使用される生地で長尺帯状に形成され、その長尺方向の一端側２Ａ近傍には、一端側２Ａより同じ距離で長尺方向に平行な位置に長線状の切欠孔３（３Ａ，３Ｂ）が形成されている。【００２８】  前記各切欠孔３の縫製方法は、切欠孔３の孔サイズ（長尺帯状体１の長さ及び幅に応じて、長尺帯状体１の他端側２Ｂが挿通し易い長さに決定される）に応じて切欠孔３を形成する部分全体に幅広の下縫い加工７をした後、下縫い加工部分７に直線状の切欠孔３の孔サイズである長短尺に応じて直線状に孔かがり縫い４を二重縫いし、そして孔部分を直線状に切断加工することで本発明の挿入孔６を長尺帯状体１に形成する。【００２９】  従って、長尺帯状体１の生地に係わらず（生地による延性、拡性等）適切で堅固な切欠孔３を形成することができる。【００３０】  尚、長尺帯状体１への切欠孔３の縫製方法は上記方法に限定されるものでなく例えば、切欠孔３の孔サイズ（長尺帯状体１の長さ及び幅に応じて、長尺帯状体１の他端側２Ｂが挿通し易い長さに決定される）に応じて直線状に孔かがり縫い４をするとともに、切欠孔３上下部分に閂止め縫い５をした後、閂止め縫い５間を直線状に切断加工することで挿入孔６を形成することも可能である。【００３１】  又、他の長尺帯状体１への切欠孔３の縫製方法は、例えば、切欠孔３の直線状に孔かがり縫い４をするとともに、切欠孔３上下部分に縦方向の閂止め縫い５Ａをした後、直線状に切断加工することで挿入孔６を形成する方法（この場合は、上記実施例の場合と同様に生地による延性、拡性等に対応した適切な切欠孔３を形成することができる。）や、切欠孔３の直線状に孔かがり縫い４をするとともに、切欠孔３上下部分を円弧状にかがり縫い５Ｂをした後、直線状に切断加工することで挿入孔６を形成する方法（この場合は、挿入孔６の両端側に膨らみのある円弧状の孔が形成されるために、長尺帯状体１の他端側２Ｂの最初の挿通が容易である）も可能である。即ち、切欠孔３の形状を適切に維持するとともに、挿入孔６の形状を維持することができるならば良い。【００３２】  また、長尺帯状体１への切欠孔３の形成する数及び形成する位置は、上記実施例に限定されるものでなく、例えば長尺帯状体１が使用目的に対して幅に狭い場合は、一端側２Ａの中央部に一つ切欠孔３を形成することも可能であり、両端側にそれぞれ切欠孔３を形成することも可能である。要は、長尺帯状体１の使用目的��応じて適切な切欠孔３を自在に形成することが可能である。【００３３】  本発明の長尺帯状体１は、上記のように切欠孔３が形成されている。次に、該長尺帯状体１を使用する場合について説明する。【００３４】  先ず、長尺帯状体１を長尺方向に沿って二つ折り、又は長尺方向に適当に束ねて長線状の切欠孔３（３Ａ，３Ｂ）の挿入孔６を合わせる。【００３５】  次に、装着者の首部分に長尺帯状体１を回し、長尺帯状体１の他端側２Ｂを一端側２Ａ近傍の切欠孔３（３Ａ，３Ｂ）の挿入孔６へ挿通する。この際、切欠孔３は挿入孔６を広げて容易に他端側２Ｂを広げることができ、しかも、その形状を堅固に維持することができるので、他端側２Ｂは容易に切欠孔３より離反、離脱しない。【００３６】  その後、長尺帯状体１を略リング状に形成して首部分に装着する。この際、切欠孔３は二つの切欠孔３Ａ、３Ｂに連続して挿通され、しかも、上記のように形状を維持することができるために、挿通後の縫製部分が滑止となり他端側２Ｂを確実に維持することができる。【００３７】  従って、トレーニング時に体を大きく動かしても長尺帯状体１はその離脱がなく、長時間の使用に適し、汗を連続して吸収することで快適に使用することができる。また、スポーツ応援グッツとして使用する場合は、長尺帯状体１を手で振って応援したり、また素早く首部分に装着して、両手を使用して応援することができる利点がある。【００３８】  また、切欠孔３はその開口が長線状であり、連続して使用してもその部分が広がらないために、上記切欠孔３へ挿通後の滑止と効果を減少することなく快適に使用することが可能となる。しかも、その部分が目立つことがないために、ファッション的にも優れた適正（例えば、長尺帯状体１への模様やカラーの選択が自在に行える等）を発揮することができる。特に、切欠孔３部分に模様やカラーを装飾しても、その形状か変形しないために見栄えよく利用することができる。【００３９】  尚、上記実施の形態では、長尺帯状体１を装着者の首部分に回して使用したが長尺帯状体１の縦・横のサイズを小さくすることで、額部分に回してハチマキ状に使用することも可能である。要は、使用目的に応じてそのサイズを調整すればよい。【００４０】  又、上記実施の形態では、長尺帯状体１を長尺の矩形帯状に形成したが、円形又は三角状に形成することも可能である。【００４１】  特に、応援用のグッツとしては、模様の選択や、形状が自在に行えるためにその利用価値が格段に向上することとなる。
【図面の簡単な説明】
【００４２】
【図１】（イ），（ロ）は本発明の長尺帯状体の縫製方法の一実施例を示す概略説明図である。
【図２】本発明の長尺帯状体を示す平面図である。
【図３】長尺帯状体に形成された長線状の切欠孔を示す拡大平面図である。
【図４】長尺帯状体に形成された長線状の切欠孔の他実施例を示す拡大平面図である。
【図５】長尺帯状体に形成された長線状の切欠孔の他実施例を示す拡大平面図である。
【図６】長尺帯状体に形成された長線状の切欠孔の他実施例を示す拡大平面図である。
【図７】本発明の長尺帯状体の他実施例を示す概略平面図である。
【符号の説明】
１：長尺帯状体、３：切欠孔
【図１】
2008264449.tif 000003
【図２】
2008264449.tif 000004
【図３】
2008264449.tif 000005
【図４】
2008264449.tif 000006
【図５】
2008264449.tif 000007
【図６】
2008264449.tif 000008
【図７】
2008264449.tif 000009